(57)【要約】【課題】一体成形された係止構造により、容易に組立てることができる上、製造コストを減らすこともできる扇風機の保護網構造を提供する。【解決手段】扇風機の保護網構造は、保護網本体１及び保護網カバー２を備える。保護網本体１は、ワイヤ１１及び網固定リング１２を有する。保護網カバー２は、保護網本体１の前端に装着され、一体成形された係止リング２１を周縁に有し、係止リング２１の内側には、保護網本体１の周縁に接続された網固定リング１２に対応するように、複数の係止ブロック２１１が設けられる。係止リング２１には、穿孔２１１及び枢着部が設けられる。枢着部には、穿孔２１１内に嵌設可能な位置決め部材２２が枢着される。位置決め部材２２上には、ワイヤ１１が嵌着される嵌着ブロックが設けられる。【選択図】図２
0003170104.tif 000002
【実用新案登録請求の範囲】
【請求項１】
保護網本体及び保護網カバーを備える扇風機の保護網構造であって、
前記保護網本体は、ワイヤ及び網固定リングを有し、
前記保護網カバーは、前記保護網本体の前端に装着され、一体成形された係止リングを周縁に有し、前記係止リングの内側には、前記保護網本体の周縁に接続された前記網固定リングに対応するように、複数の係止ブロックが設けられることを特徴とする扇風機の保護網構造。
【請求項２】
前記係止リングには、穿孔及び枢着部が設けられ、前記枢着部には、前記穿孔内に嵌設可能な位置決め部材が枢着され、前記位置決め部材上には、前記ワイヤが嵌着される嵌着ブロックが設けられることを特徴とする請求項１に記載の扇風機の保護網構造。
【考案の詳細な説明】
【技術分野】
【０００１】
本考案は、扇風機の保護網構造に関し、特に、一体成形された係止構造を利用することにより、組立てを容易に行うことができる上、製造コストを減らすこともできる扇風機の保護網構造に関する。
【背景技術】
【０００２】
扇風機の羽根の前後には、ユーザが不用意に回転する羽根に触って怪我をすることがないように、保護フレームが取り付けられているのが一般的である。従来の扇風機は、ファンと前後の安全保護網との間に、固定フレームが取り付けられている。一般に、固定フレームは、円形をなすように射出成形されているが、製造及び組立ての際に、以下のような欠点を有する。
【０００３】
従来の円形をなす固定フレームは、まず、前安全保護網に装着され、その後、後安全保護網に対応するように、係合片の係合孔により固定される。しかし、前安全保護網、後安全保護網及び固定フレームの３つの部材は、一緒に位置合わせして組み立てる必要がある上、後安全保護網を係合させた後に、前安全保護網が外れてしまうことなどがあるため、組立てが容易でなかった。
【０００４】
固定フレームは、円形をなすように射出成型されている。また、前安全保護網及び後安全保護網は、金属又はプラスチックからなるのが一般的である。しかし、前安全保護網、後安全保護網及び固定フレームは、如何なる材料で製造される場合でも、３つの金型を用いて個別の３つの部材をそれぞれ製造する必要であるため、製造コストが多くかかる。
【考案の概要】
【考案が解決しようとする課題】
【０００５】
本考案の目的は、一体成形された係止構造により、容易に組立てることができる上、製造コストを減らすこともできる扇風機の保護網構造を提供することにある。
【課題を解決するための手段】
【０００６】
上記課題を解決するために、本考案の第１の形態によれば、保護網本体及び保護網カバーを備える扇風機の保護網構造であって、前記保護網本体は、ワイヤ及び網固定リングを有し、前記保護網カバーは、前記保護網本体の前端に装着され、一体成形された係止リングを周縁に有し、前記係止リングの内側には、前記保護網本体の周縁に接続された前記網固定リングに対応するように、複数の係止ブロックが設けられることを特徴とする扇風機の保護網構造が提供される。
【０００７】
また、前記係止リングには、穿孔及び枢着部が設けられ、前記枢着部には、前記穿孔内に嵌設可能な位置決め部材が枢着され、前記位置決め部材上には、前記ワイヤが嵌着される嵌着ブロックが設けられることが好ましい。
【考案の効果】
【０００８】
本考案の扇風機の保護網構造は、以下（１）及び（２）の効果を有する。
（１）係止構造を一体成形することにより、部材の数が減り、組立てが容易となる。
（２）係止構造を一体成形することにより、製造される部材の数及び製造工程が減るため、製造コストを減らすことができる。
【図面の簡単な説明】
【０００９】
【図１】本考案の一実施形態による扇風機の保護網構造を示す分解斜視図である。
【図２】本考案の一実施形態による扇風機の保護網構造を示す分解斜視図である。
【図３】本考案の一実施形態による扇風機の保護網構造を示す部分断面図である。
【図４】本考案の一実施形態による扇風機の保護網構造を示す分解斜視図である。
【図５】本考案の一実施形態による扇風機の保護網構造を示す部分断面図である。
【考案を実施するための形態】
【００１０】
図１〜図３を参照する。図１〜図３に示すように、本考案の一実施形態による扇風機の保護網構造は、少なくとも保護網本体１及び保護網カバー２から構成される。
【００１１】
保護網本体１は、ファンの外部に装着され、放射状のワイヤ１１によりフレーム状をなす。ワイヤ１１の末端には、網固定リング１２が接続されている。
【００１２】
保護網カバー２は、保護網本体１の前端に装着され、係止リング２１が周縁に一体成形されている。係止リング２１の内側には、保護網本体１の周縁に接続された網固定リング１２に対応するように、複数の係止ブロック２１１が設けられている。
【００１３】
図１〜図３を参照する。図１〜図３に示すように、本考案の一実施形態による扇風機の保護網構造を組み立てる際、まず、ファン動力部の外側に、保護網本体１を装着してから（これは本考案の技術特徴でないため、図示せず）、ファンを装着する。これにより、保護網本体１は、ファンの外部に装着される。保護網本体１は、放射状のワイヤ１１によりフレーム状をなす。ワイヤ１１の末端には、網固定リング１２が接続されている。保護網本体１の前端には、保護網カバー２が装着される。保護網カバー２の周縁には、係止リング２１が一体成形されている。係止リング２１の内側には、保護網本体１の周縁に接続された網固定リング１２に対応するように、複数の係止ブロック２１１が設けられている。これにより、保護網本体１に保護網カバー２を取り付ける際、保護網本体１の周縁に接続された網固定リング１２を係止リング２１により覆い、係止リング２１上の係止ブロック２１１により、保護網本体１の網固定リング１２を係止して固定する。このように、一体成形された係止リング２１により、保護網本体１を係止して固定することにより、組立てを容易に行うことができる上、製造コストを減らすこともできる。
【００１４】
図４及び図５を参照する。図４及び図５に示すように、本実施形態による扇風機の保護網構造の係止リング２１には、穿孔２１２及び枢着部２１３が設けられている。枢着部２１３は、位置決め部材２２を枢着するために用いる。位置決め部材２２は、穿孔２１２に嵌設される。また、この位置決め部材２２上には、保護網本体１上に保護網カバー２が固定できるように、ワイヤ１１を嵌着するために用いる嵌着ブロック２２１が設けられている。  
【００１５】
上述したことから分かるように、本実施形態に係る扇風機の保護網構造は、以下（１）及び（２）の長所を有する。
（１）係止構造を一体成形することにより、部材の数が減り、組立てが容易となる。
（２）係止構造を一体成形することにより、製造される部材の数及び製造工程が減るため、製造コストを減らすことができる。
【００１６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１７】
１  保護網本体
２  保護網カバー
１１  ワイヤ
１２  網固定リング
２１  係止リング
２２  位置決め部材
２１１  係止ブロック
２１２  穿孔
２１３  枢着部
２２１  嵌着ブロック
【図１】
0003170104.tif 000003
【図２】
0003170104.tif 000004
【図３】
0003170104.tif 000005
【図４】
0003170104.tif 000006
【図５】
0003170104.tif 000007